(57)【要約】  所定のジョブタイプのジョブを実行する際、ユーザが事前に設定することなく自動で特有な制御を行う。ジョブタイプとして、第１ジョブが行われる第１ジョブタイプと、第２ジョブが行われる第２ジョブタイプとが存在する。プリンタ１００の制御装置６０は、コマンド実行部６７によって実行されたジョブタイプコマンドＣＭ１１のジョブタイプが第１ジョブタイプの場合、第１の制御が行われるように制御する第１制御部６４と、コマンド実行部６７によって実行されたジョブタイプコマンドＣＭ１１のジョブタイプが第２ジョブタイプの場合、第１の制御とは異なる第２の制御が行われるように制御する第２制御部６５とを備えている。
2019198497.tif 000002
【特許請求の範囲】
【請求項１】
記録媒体が載置される載置台と、
前記載置台に載置された前記記録媒体にインクを吐出するインクヘッドと、
前記載置台に載置された前記記録媒体に対して前記インクヘッドを相対的に主走査方向に移動させるヘッド移動機構と、
前記載置台に載置された前記記録媒体を前記インクヘッドに対して相対的に副走査方向に移動させる媒体移動機構と、
前記インクヘッド、前記ヘッド移動機構および前記媒体移動機構に電気的に接続された制御装置と、
を備え、
前記制御装置は、ジョブデータが記憶された記憶部を備え、
前記ジョブデータは、印刷に関する基本設定情報を設定するコマンドであるジョブコマンドを備え、
１つの所定の処理が単一で行われた処理、または、複数の所定の処理が連続して行われたときの一連の処理のことをジョブとし、前記ジョブの種類をジョブタイプとしたとき、前記ジョブタイプは、第１ジョブが行われる第１ジョブタイプと、前記第１ジョブとは異なる第２ジョブが行われる第２ジョブタイプとを少なくとも有し、
前記ジョブコマンドは、前記ジョブタイプから１つの前記ジョブタイプが指定されたジョブタイプコマンドを有し、
前記インクヘッドと前記載置台に載置された前記記録媒体との前記主走査方向および前記副走査方向の相対的な位置を移動させるように、前記ヘッド移動機構および前記媒体移動機構を制御すると共に、前記インクヘッドからインクを吐出させることで前記記録媒体に印刷を行う制御を印刷制御としたとき、
前記制御装置は、
前記ジョブコマンドを実行するコマンド実行部と、
前記コマンド実行部によって前記ジョブタイプコマンドが実行されたときの前記ジョブタイプコマンドの前記ジョブタイプが前記第１ジョブタイプの場合、前記記録媒体に対して、前記印刷制御以外の所定の第１の制御が行われるように制御する第１制御部と、
前記コマンド実行部によって前記ジョブタイプコマンドが実行されたときの前記ジョブタイプコマンドの前記ジョブタイプが前記第２ジョブタイプの場合、前記記録媒体に対して、前記印刷制御以外の制御であって、前記第１の制御とは異なる第２の制御が行われるように制御する第２制御部と、
を備えた、プリンタ。
【請求項２】
前記第１ジョブは、前記記録媒体に対して、所定の第１処理が行われた後に、前記第１処理とは異なる第２処理が行われるジョブ、または、前記記録媒体に対して前記第２処理が行われた後に前記第１処理が行われるジョブであり、
前記第２ジョブは、前記記録媒体に対して、前記第１処理が行われ、かつ、前記第２処理が行われないジョブであり、
前記ジョブデータは、前記第１処理が開始される第１処理開始コマンドを少なくとも有する実行コマンドを備え、
前記コマンド実行部は、前記実行コマンドを実行し、
前記第１制御部は、前記コマンド実行部によって前記第１処理開始コマンドが実行されたときに、前記第１の制御が行われるように制御し、
前記第２制御部は、前記コマンド実行部によって前記第１処理開始コマンドが実行されたときに、前記第２の制御が行われるように制御する、請求項１に記載されたプリンタ。
【請求項３】
前記載置台に載置された前記記録媒体を切断するカッティングヘッドを備え、
前記ヘッド移動機構は、前記カッティングヘッドを前記載置台に載置された前記記録媒体に対して相対的に前記主走査方向に移動させるように構成され、
前記媒体移動機構は、前記載置台に載置された前記記録媒体を前記カッティングヘッドに対して相対的に前記副走査方向に移動させるように構成され、
前記記憶部には、前記記録媒体に対するカットデータおよび印刷データが記憶され、
前記第１処理は、前記カットデータに基づいて前記記録媒体を切断するように前記ヘッド移動機構、前記媒体移動機構および前記カッティングヘッドが制御される切断処理であり、
前記第２処理は、前記印刷データに基づいて前記印刷制御が行われる印刷処理である、請求項２に記載されたプリンタ。
【請求項４】
前記載置台は、
前記インクヘッドの下方に配置されたメインプラテンと、
前記メインプラテンの前記副走査方向の下流側に配置された下流側プラテンと、
を有し、
前記下流側プラテンの下方に配置されたヒータを備え、
前記第１ジョブは、前記印刷処理が行われた後に前記切断処理が行われるジョブであり、
前記載置台に載置された前記記録媒体を前記副走査方向の下流側に所定の距離移動させるように前記媒体移動機構を制御すると共に、前記ヒータを加熱させることで前記下流側プラテン上の前記記録媒体を乾燥させる制御を乾燥制御としたとき、
前記第１制御部は、前記乾燥制御を行った後に、前記切断処理の制御を行い、
前記第２制御部は、前記乾燥制御を行わずに、前記切断処理を行う、請求項３に記載されたプリンタ。
【請求項５】
前記実行コマンドは、前記印刷処理が開始される印刷開始コマンドを有し、
前記制御装置は、前記コマンド実行部によって前記印刷開始コマンドが実行されたとき、前記乾燥制御を行わずに、前記印刷処理を行う印刷制御部を備えた、請求項４に記載されたプリンタ。
【請求項６】
前記記録媒体が巻かれた供給軸を有し、前記載置台よりも前記副走査方向の上流側に配置され、前記載置台に前記記録媒体を供給する供給装置を備え、
前記第１ジョブは、前記印刷処理が行われた後に前記切断処理が行われるジョブであり、
前記供給装置の前記供給軸に巻かれた前記記録媒体を所定の長さ前記載置台に供給した後、前記載置台に載置された前記記録媒体を前記副走査方向の上流側に前記所定の長さ移動させるように前記媒体移動機構を制御することを先送り制御としたとき、
前記第１制御部は、前記カットデータに対応したカット画像の前記副走査方向の長さが前記印刷データに対応した印刷画像の前記副走査方向の長さよりも長い場合、前記所定の長さが前記カット画像の前記副走査方向の長さと前記印刷画像の前記副走査方向の長さとの差分の長さ以上となるように前記先送り制御を行った後に、前記切断処理を行い、
前記第２制御部は、前記所定の長さが前記カット画像の前記副走査方向の長さ以上となるように前記先送り制御を行った後に、前記切断処理を行う、請求項３に記載されたプリンタ。
【請求項７】
前記実行コマンドは、前記印刷処理が開始される印刷開始コマンドを有し、
前記制御装置は、前記コマンド実行部によって前記印刷開始コマンドが実行されたとき、前記先送り制御を行わずに、前記印刷処理を行う印刷制御部を備えた、請求項６に記載されたプリンタ。
【請求項８】
前記載置台に載置された前記記録媒体を切断するカッティングヘッドを備え、
前記ヘッド移動機構は、前記カッティングヘッドを前記載置台に載置された前記記録媒体に対して相対的に前記主走査方向に移動させるように構成され、
前記媒体移動機構は、前記載置台に載置された前記記録媒体を前記カッティングヘッドに対して相対的に前記副走査方向に移動させるように構成され、
前記記憶部には、前記記録媒体に対するカットデータおよび印刷データが記憶され、
前記第１処理は、前記印刷データに基づいて前記印刷制御が行われる印刷処理であり、
前記第２処理は、前記カットデータに基づいて前記記録媒体を切断するように前記ヘッド移動機構、前記媒体移動機構および前記カッティングヘッドが制御される切断処理である、請求項２に記載されたプリンタ。
【請求項９】
前記載置台に載置された前記記録媒体を巻き取る巻き取り軸を有し、前記載置台よりも前記副走査方向の下流側に配置された巻き取り装置を備え、
前記第１ジョブは、前記印刷処理が行われた後に前記切断処理が行われるジョブであり、
前記印刷処理中、前記記録媒体に所定の範囲の印刷が行われる毎に、前記所定の範囲における前記副走査方向の長さ分の前記記録媒体を前記巻き取り軸に巻き取るように前記巻き取り装置を制御することを巻き取り制御としたとき、
前記第１制御部は、前記印刷処理の制御を行うと共に、前記巻き取り制御を行わず、
前記第２制御部は、前記印刷処理の制御を行うと共に、前記巻き取り制御を行う、請求項８に記載されたプリンタ。
【請求項１０】
前記実行コマンドは、前記切断処理が開始される切断開始コマンドを有し、
前記制御装置は、前記コマンド実行部によって前記切断開始コマンドが実行されたとき、前記切断処理の制御を行い、前記切断処理が行われた後、前記カットデータに対応したカット画像の前記副走査方向の長さ以上の長さであるカット長さ分、前記記録媒体を前記副走査方向の上流側に移動させるように制御した後、前記カット長さ分の前記記録媒体を前記巻き取り軸に巻き取るように前記巻き取り装置を制御するカッティング制御部を備えた、請求項９に記載されたプリンタ。
【請求項１１】
前記印刷処理の前において、前記載置台に載置された前記記録媒体を前記副走査方向に所定の長さ移動させる制御を初期制御としたとき、
前記第１制御部は、前記初期制御を実行した後に、前記印刷処理の制御を行うと共に、前記巻き取り制御を行わず、
前記第２制御部は、前記初期制御を実行せずに、前記印刷処理の制御を行うと共に、前記巻き取り制御を行う、請求項１０に記載されたプリンタ。
【請求項１２】
前記カッティング制御部は、前記初期制御を実行した後に、前記切断処理の制御を行う、請求項１１に記載されたプリンタ。
【請求項１３】
請求項１から１２までの何れか１つに記載されたプリンタと、
前記ジョブデータを作成するジョブデータ作成装置と、
を備え、
前記ジョブデータ作成装置は、
前記基本設定情報が少なくとも表示される表示画面と、
前記表示画面に表示された前記基本設定情報をユーザが設定する操作部と、
前記プリンタの前記制御装置に通信可能に接続された作成制御装置と、
を備え、
前記作成制御装置は、
前記表示画面に表示された前記基本設定情報を取得して前記ジョブコマンドを少なくとも作成することで、前記ジョブデータを作成するジョブデータ作成部と、
前記ジョブデータ作成部によって作成された前記ジョブデータを前記制御装置に送信する送信部と、
を備え、
前記制御装置は、前記送信部によって送信された前記ジョブデータを受信し、前記ジョブデータを前記記憶部に記憶させる受信部を備えた、印刷システム。
【発明の詳細な説明】
【技術分野】
【０００１】
本発明は、プリンタおよび印刷システムに関する。
【背景技術】
【０００２】
従来から、記録紙や樹脂シートなどからなる記録媒体に画像の印刷を行い、その後に記録媒体に印刷された画像の周囲を切断するカッティングヘッド付きプリンタが知られている。例えば特許文献１には、このようなカッティングヘッド付きプリンタが開示されている。
【先行技術文献】
【特許文献】
【０００３】
【特許文献１】特許第４８５５５１０号公報
【発明の概要】
【発明が解決しようとする課題】
【０００４】
本明細書では、印刷、切断などの記録媒体に対する制御を「処理」という。そして、１つの処理が単一で行われたときの処理、または、複数の処理が連続して行われたときの一連の処理のことを「ジョブ」という。ところで、特許文献１に開示されたプリンタでは、プリンタが実行可能なジョブの種類（ジョブタイプ）は、複数存在する。例えば、ジョブタイプとして、記録媒体に対して印刷のみが行われる印刷ジョブ、記録媒体に対して切断のみが行われる切断ジョブ、および、記録媒体に対して印刷し、印刷後に切断が行われる印刷切断ジョブなどが挙げられる。【０００５】
ところで、ジョブタイプによって、そのジョブタイプの特有の制御（以下、特有制御という。）が行われることがあり得る。例えば、印刷切断ジョブでは、インクが吐出された記録媒体に対して切断が行われる。そのため、切断開始時には、記録媒体に吐出されたインクを乾燥させる乾燥制御が行われることが好ましい。一方、切断ジョブでは、切断開始時には、記録媒体は、インクが吐出されていない状態、または、記録媒体にインクが吐出されている場合であってもインクは乾燥している状態である。そのため、切断ジョブでは、切断開始時に、上記乾燥制御は行われなくてもよい。このように、同じ処理であってもジョブタイプによって、上記乾燥制御などの特有制御が行なわれたり、行われなかったりすることがあり得る。特有制御は、プリンタによる制御開始前において、ユーザが経験則に基づいて予め設定するものであった。【０００６】
本発明はかかる点に鑑みてなされたものであり、その目的は、所定のジョブタイプに対する特有な制御が存在する場合、所定のジョブタイプのジョブを実行する際、ユーザが事前に設定することなく自動で特有な制御を行うことが可能なプリンタおよび印刷システムを提供することである。
【課題を解決するための手段】
【０００７】
本発明に係るプリンタは、載置台と、インクヘッドと、ヘッド移動機構と、媒体移動機構と、制御装置とを備えている。前記載置台には、記録媒体が載置される。前記インクヘッドは、前記載置台に載置された前記記録媒体にインクを吐出する。前記ヘッド移動機構は、前記載置台に載置された前記記録媒体に対して前記インクヘッドを相対的に主走査方向に移動させる。前記媒体移動機構は、前記載置台に載置された前記記録媒体を前記インクヘッドに対して相対的に副走査方向に移動させる。前記制御装置は、前記インクヘッド、前記ヘッド移動機構および前記媒体移動機構に電気的に接続されている。前記制御装置は、ジョブデータが記憶された記憶部を備えている。前記ジョブデータは、印刷に関する基本設定情報を設定するコマンドであるジョブコマンドを備えている。１つの所定の処理が単一で行われた処理、または、複数の所定の処理が連続して行われたときの一連の処理のことをジョブとし、前記ジョブの種類をジョブタイプとする。前記ジョブタイプは、第１ジョブが行われる第１ジョブタイプと、前記第１ジョブとは異なる第２ジョブが行われる第２ジョブタイプとを少なくとも有する。前記ジョブコマンドは、前記ジョブタイプから１つの前記ジョブタイプが指定されたジョブタイプコマンドを有する。前記インクヘッドと前記載置台に載置された前記記録媒体との前記主走査方向および前記副走査方向の相対的な位置を移動させるように、前記ヘッド移動機構および前記媒体移動機構を制御すると共に、前記インクヘッドからインクを吐出させることで前記記録媒体に印刷を行う制御を印刷制御とする。前記制御装置は、前記ジョブコマンドを実行するコマンド実行部と、第１制御部と、第２制御部とを備えている。前記第１制御部は、前記コマンド実行部によって前記ジョブタイプコマンドが実行されたときの前記ジョブタイプコマンドの前記ジョブタイプが前記第１ジョブタイプの場合、前記記録媒体に対して、前記印刷制御以外の所定の第１の制御が行われるように制御する。前記第２制御部は、前記コマンド実行部によって前記ジョブタイプコマンドが実行されたときの前記ジョブタイプコマンドの前記ジョブタイプが前記第２ジョブタイプの場合、前記記録媒体に対して、前記印刷制御以外の制御であって、前記第１の制御とは異なる第２の制御が行われるように制御する。【０００８】
本発明に係るプリンタによれば、ジョブが実行される前において、ジョブタイプコマンドを実行することで、制御装置は、どのジョブタイプのジョブが実行されるかを事前に認識することができる。よって、ジョブタイプコマンドを実行することで、ジョブタイプコマンドに設定されたジョブタイプが第１ジョブタイプの場合には、ユーザが事前に設定することなく第１の制御を自動で行うことができる。また、ジョブタイプコマンドを実行することで、ジョブタイプコマンドに設定されたジョブタイプが第２ジョブタイプの場合には、ユーザが事前に設定することなく第２の制御を自動で行うことができる。
【発明の効果】
【０００９】
本発明によれば、所定のジョブタイプに対する特有な制御が存在する場合、所定のジョブタイプのジョブを実行する際、ユーザが事前に設定することなく自動で特有な制御を行うことができる。
【図面の簡単な説明】
【００１０】
【図１】図１は、第１実施形態に係る印刷システムが備えるプリンタの正面図である。
【図２】図２は、図１のＩＩ−ＩＩ断面に沿ったプリンタの断面図である。
【図３】図３は、インクジェットヘッドの記録媒体と対向する側の面の構成を示す模式図である。
【図４】図４は、印刷システムのブロック図である。
【図５】図５は、印刷切断ジョブに関するジョブデータの一例を示す図である。
【図６】図６は、ジョブタイプが異なる場合において、記録媒体に対して切断を行う前に乾燥制御を行うか否かを決定する手順を示すフローチャートである。
【図７】図７は、切断ジョブに関するジョブデータの一例を示す図である。
【図８】図８は、ジョブタイプが異なる場合において、記録媒体に対して切断を行う前に先送り制御を行うか否かの決定、および、先送り制御の先送り量を決定する手順を示すフローチャートである。
【図９】図９は、第３実施形態に係るプリンタのブロック図である。
【図１０】図１０は、ジョブタイプが異なる場合において、ジョブタイプが異なる場合において、記録媒体に対して印刷を行う際に、巻き取り制御を行うか否か、および、初期制御を行うか否かを決定する手順を示すフローチャートである。
【図１１】図１１は、印刷ジョブに関するジョブデータの一例を示す図である。
【発明を実施するための形態】
【００１１】
以下、図面を参照しながら、本発明の実施形態に係るプリンタとジョブデータ作成装置とを備えた印刷システムについて説明する。なお、ここで説明される実施形態は、当然ながら本発明を特に限定することを意図したものではない。また、同じ作用を奏する部材・部位には同じ符号を付し、重複する説明は適宜省略または簡略化する。
【００１２】
＜第１実施形態＞
まず、第１実施形態に係る印刷システム１０について説明する。図１は、第１実施形態に係る印刷システム１０が備えるプリンタ１００の正面図である。図２は、図１のＩＩ−ＩＩ断面に沿ったプリンタ１００の断面図である。図１に示すように、印刷システム１０は、プリンタ１００と、ジョブデータ作成装置１５０とを備えている。以下の説明では、左、右、上、下とは、プリンタ１００の正面にいるユーザから見た左、右、上、下をそれぞれ意味することとする。また、上記ユーザがプリンタ１００から遠ざかる方を前方、プリンタ１００に近づく方を前方とする。図面中の符号Ｆ、Ｒｒ、Ｌ、Ｒ、Ｕ、Ｄは、それぞれ前、後、左、右、上、下を示している。図面中の符号Ｙは主走査方向を示している。本実施形態では、主走査方向Ｙは、左右方向である。図面中の符号Ｘは副走査方向を示している。副走査方向Ｘは主走査方向Ｙと交差する方向（例えば、平面視において直交する方向）である。本実施形態では、副走査方向Ｘは前後方向である。また、符号Ｘ１は、副走査方向Ｘのうち上流側から下流側へ向かう方向（ここでは、後から前へ向かう方向）を示している。方向Ｘ１は、例えば、印刷時に記録媒体５が搬送される方向である。符号Ｘ２は、副走査方向Ｘのうち下流側から上流側へ向かう方向（ここでは、前から後へ向かう方向）を示している。ただし、上記方向は便宜的に定めたものに過ぎず、限定的に解釈すべきものではない。
【００１３】
図１に示すように、プリンタ１００は、カッティングヘッド付きのインクジェット式のプリンタである。プリンタ１００は、記録媒体５に対して印刷および切断をすることが可能なプリント＆カット機である。ただし、本発明に係るプリンタは、カッティングヘッドを有さないインクジェット式のプリンタであってもよい。
【００１４】
記録媒体５は、例えば、ロール状の記録紙である。記録媒体５は、後述する巻き取り装置５０の巻き取り軸５１に巻き取り可能な形状のものであればよく、記録紙に限定されない。記録媒体５は、普通紙やインクジェット用印刷紙などの紙類以外に、樹脂製のシートやフィルム、織布や不織布等の布帛、その他の媒体であってもよい。また、記録媒体５は、台紙と台紙上に積層されかつ粘着剤が塗布された剥離紙とからなるシール材であってもよい。
【００１５】
本明細書において「切断」、「カッティング」とは、記録媒体５の厚み方向の全体を切断する場合（例えば、シール材の台紙および剥離紙の両方を切断する場合）と、記録媒体５の厚み方向の一部を切断する場合（例えば、シール材の台紙は切断せず、剥離紙のみを切断する場合）とが含まれる。
【００１６】
図２に示すように、プリンタ１００は、本体１０ａと、脚１１とを備えている。図１に示すように、本体１０ａは、主走査方向Ｙに延びたケーシングを有する。図２に示すように、脚１１は、本体１０ａを支持するものであり、本体１０ａの下面に設けられている。
【００１７】
プリンタ１００は、プラテン１６を備えている。プラテン１６は、本発明の「載置台」の一例である。プラテン１６は、記録媒体５への印刷および切断を行う際、記録媒体５を支持するものである。プラテン１６には、記録媒体５が載置される。記録媒体５への印刷および切断は、プラテン１６上で行われる。ここでは、プラテン１６は、主走査方向Ｙに延びている。
【００１８】
本実施形態では、プラテン１６は、メインプラテン１７ａと、上流側プラテン１７ｂと、下流側プラテン１７ｃとを有している。メインプラテン１７ａ上において、印刷および切断が行われる。メインプラテン１７ａは、後述するインクヘッド３６（図３参照）の下方に配置されている。メインプラテン１７ａの上面は、平らな面である。上流側プラテン１７ｂは、メインプラテン１７ａよりも副走査方向Ｘの上流側に配置されており、メインプラテン１７ａの後方に位置している。上流側プラテン１７ｂは、記録媒体５をメインプラテン１７ａに案内するものである。上流側プラテン１７ｂは、例えば横断面円弧状に形成されている。上流側プラテン１７ｂは、メインプラテン１７ａから離れるほど下方に向かうように湾曲している。下流側プラテン１７ｃは、メインプラテン１７ａよりも副走査方向Ｘの下流側に配置されており、メインプラテン１７ａの前方に位置している。下流側プラテン１７ｃは、例えば、プラテン１６に載置された記録媒体５を巻き取る巻き取り装置５０に記録媒体５を案内するものである。下流側プラテン１７ｃは、横断面円弧状に形成されている。下流側プラテン１７ｃは、メインプラテン１７ａから離れるほど下方に向かうように湾曲している。
【００１９】
プリンタ１００は、メインヒータ１９ａと、プレヒータ１９ｂと、ポストヒータ１９ｃとを備えている。メインヒータ１９ａは、メインプラテン１７ａの下方、ここではメインプラテン１７ａの裏面に配置されている。メインヒータ１９ａが熱を発することで、メインプラテン１７ａが加熱される。このことで、メインプラテン１７ａに載置された記録媒体５の部分に吐出されたインクの乾燥が促進される。プレヒータ１９ｂは、上流側プラテン１７ｂの下方、ここでは上流側プラテン１７ｂの裏面に配置されている。プレヒータ１９ｂは、メインヒータ１９ａよりも副走査方向Ｘの上流側に配置されている。プレヒータ１９ｂが熱を発することで、上流側プラテン１７ｂが加熱される。このことで、上流側プラテン１７ｂに載置された記録媒体５の部分が温まる。ポストヒータ１９ｃは、本発明の「ヒータ」の一例である。ポストヒータ１９ｃは、下流側プラテン１７ｃの下方、ここでは下流側プラテン１７ｃの裏面に配置されている。ポストヒータ１９ｃは、メインヒータ１９ａよりも副走査方向Ｘの下流側に配置されている。ポストヒータ１９ｃが熱を発することで、下流側プラテン１７ｃが加熱される。このことで、下流側プラテン１７ｃ上に移動した記録媒体５の部分に吐出されたインクの乾燥が促進される。
【００２０】
図１に示すように、プリンタ１００は、ヘッド移動機構３１と、媒体移動機構３２とを備えている。ヘッド移動機構３１は、プラテン１６に載置された記録媒体５に対してインクヘッド３６（図３参照）を相対的に主走査方向Ｙに移動させる機構である。本実施形態では、ヘッド移動機構３１は、インクヘッド３６を主走査方向Ｙに移動させる。なお、ヘッド移動機構３１の構成は特に限定されない。本実施形態では、ヘッド移動機構３１は、ガイドレール２０と、プーリ２１と、プーリ２２と、無端状のベルト２３と、キャリッジモータ２４と、キャリッジ３０（図２参照）とを有している。ガイドレール２０は、キャリッジ３０の主走査方向Ｙへの移動をガイドするものである。図２に示すように、ガイドレール２０は、プラテン１６（詳しくは、メインプラテン１７ａ）の上方に配置されている。図１に示すように、ガイドレール２０は、主走査方向Ｙに延びている。プーリ２１は、ガイドレール２０の左端部分に設けられている。プーリ２２は、ガイドレール２０の右端部分に設けられている。ベルト２３は、プーリ２１とプーリ２２とに巻き掛けられている。本実施形態では、右側のプーリ２２には、キャリッジモータ２４が接続されている。キャリッジモータ２４が駆動して、プーリ２２が回転することで、プーリ２１とプーリ２２との間においてベルト２３が走行する。なお、キャリッジモータ２４は、左側のプーリ２１に接続されていてもよい。
【００２１】
キャリッジ３０は、ベルト２３に取り付けられている。図２に示すように、キャリッジ３０は、ガイドレール２０に係合しており、ガイドレール２０に摺動自在に設けられている。キャリッジ３０には、インクヘッド３６およびカッティングヘッド３８が搭載されている。本実施形態では、ヘッド移動機構３１は、キャリッジモータ２４の駆動によってベルト２３が走行して、キャリッジ３０が主走査方向Ｙに移動することに伴い、キャリッジ３０に搭載されたインクヘッド３６およびカッティングヘッド３８を主走査方向Ｙに移動させる。
【００２２】
図１に示すように、媒体移動機構３２は、プラテン１６に載置された記録媒体５をインクヘッド３６およびカッティングヘッド３８に対して相対的に副走査方向Ｘに移動させるものである。ここでは、媒体移動機構３２は、プラテン１６に載置された記録媒体５を副走査方向Ｘに移動させる。なお、媒体移動機構３２の構成は特に限定されない。本実施形態では、媒体移動機構３２は、グリットローラ２５と、ピンチローラ２６と、フィードモータ２７（図４参照）とを有している。図２に示すように、グリットローラ２５は、プラテン１６のメインプラテン１７ａに設けられている。ここでは、グリットローラ２５の少なくとも一部は、メインプラテン１７ａに埋設されている。ピンチローラ２６は、記録媒体５を上から押えつけるものである。ピンチローラ２６は、プラテン１６のメインプラテン１７ａの上方であって、グリットローラ２５の上方に配置されている。ピンチローラ２６は、グリットローラ２５と上下方向に対向する位置に設けられている。ピンチローラ２６は、上下方向に移動可能に構成されている。なお、グリットローラ２５およびピンチローラ２６のそれぞれの設置位置および数は特に限定されない。本実施形態では、図１に示すように、グリットローラ２５およびピンチローラ２６は、それぞれ７個ずつ設けられている。
【００２３】
本実施形態では、図４に示すように、フィードモータ２７は、グリットローラ２５に接続されている。グリットローラ２５とピンチローラ２６との間に記録媒体５が挟まれた状態で、フィードモータ２７が駆動してグリットローラ２５が回転すると、記録媒体５は副走査方向Ｘに搬送される。
【００２４】
図３は、インクジェットヘッド３５の記録媒体５と対向する側の面（本実施形態では下面）の構成を示す模式図である。図３に示すように、プリンタ１００は、インクジェットヘッド３５を備えている。インクジェットヘッド３５は、プラテン１６（詳しくは、メインプラテン１７ａ）に載置された記録媒体５に印刷を行う。図２に示すように、インクジェットヘッド３５は、キャリッジ３０に設けられており、主走査方向Ｙに移動可能に構成されている。図３に示すように、インクジェットヘッド３５は、インクを吐出する複数のノズル３７を有する複数のインクヘッド３６を備えている。４つのインクヘッド３６は、それぞれ色調が異なるインクを吐出する。例えば、各インクヘッド３６は、シアンインク、マゼンタインク、イエローインク、ブラックインクなどのプロセスカラーインク、および、クリアインク、ホワイトインクなどの特色インクのうちの何れかのインクを吐出する。ただし、インクヘッド３６の数は４つに限定されない。また、インクヘッド３６が吐出するインクの色も何ら限定されない。なお、図示は省略するが、複数のインクヘッド３６は、それぞれインクカートリッジに接続されている。インクカートリッジには、インクが貯留されている。インクカートリッジに貯留されたインクは、インクヘッド３６に供給される。
【００２５】
図１に示すように、プリンタ１００は、カッティングヘッド３８を備えている。カッティングヘッド３８は、プラテン１６（詳しくは、メインプラテン１７ａ）に載置された記録媒体５を切断する。カッティングヘッド３８は、キャリッジ３０に設けられており、主走査方向Ｙに移動可能に構成されている。図示は省略するが、カッティングヘッド３８の内部には、ソレノイド、および、カッターが設けられている。ソレノイドは、後述する制御装置６０（図１参照）によって制御される。ソレノイドがＯＮ／ＯＦＦされると、カッターは上下方向に移動して記録媒体５に接触し、あるいは記録媒体５から離反する。
【００２６】
図２に示すように、プリンタ１００は、供給軸４１を有する供給装置４０を備えている。供給装置４０は、プラテン１６に記録媒体５を供給する装置である。供給軸４１はプラテン１６よりも後方かつプラテン１６よりも下方に配置されている。供給軸４１の周面には、印刷前の帯状の記録媒体５がロール状に巻かれている。図１に示すように、供給軸４１の左端部は左ガイド板４２Ｌに回転可能に支持され、供給軸４１の右端部は右ガイド板４２Ｒに回転可能に支持されている。グリットローラ２５が記録媒体５を副走査方向Ｘの方向Ｘ１に搬送することにより、記録媒体５は供給軸４１からプラテン１６に向かって送り出される。なお、本実施形態ではプリンタ１００が供給軸４１を回転させるモータを備えていないが、そのようなモータを備えていてもよい。
【００２７】
プリンタ１００は、プラテン１６に載置された記録媒体５をロール状に巻き取る巻き取り装置５０を備えている。巻き取り装置５０は、巻き取り軸５１と、テンションバー５２と、支持アーム５３Ｌ、５３Ｒと、巻き取りモータ５５とを備えている。
【００２８】
巻き取り軸５１は、記録媒体５を巻き取るものである。巻き取り軸５１は、左右に延びる円筒形状または円柱形状に形成されている。巻き取り軸５１は、プラテン１６よりも下方に配置されている。プリンタ１００は、巻き取り軸５１を回転可能に支持する第１左側壁５６Ｌおよび第１右側壁５６Ｒを備えている。巻き取り軸５１は、第１左側壁５６Ｌおよび第１右側壁５６Ｒに支持された支持部５１ａと、支持部５１ａよりも直径が大きい筒部５１ｂとを備えている。記録媒体５は筒部５１ｂの周面に巻き取られる。支持部５１ａと筒部５１ｂとは一体に形成されていてもよく、別体に形成されていてもよい。巻き取り軸５１の左端部は、第１左側壁５６Ｌに回転可能に支持されている。巻き取り軸５１の右端部は、第１右側壁５６Ｒに回転可能に支持されている。プリンタ１００は、第１左側壁５６Ｌおよび第１右側壁５６Ｒを支持するレール５４を備えている。レール５４は左右方向に延びている。
【００２９】
図２に示すように、テンションバー５２は、記録媒体５のプラテン１６と巻き取り軸５１との間に位置する部分に対して張力を与えるものである。詳しくは、テンションバー５２は、自重を利用して記録媒体５を前斜め下方に押すことにより、記録媒体５に対して張力を与えるものである。図１に示すように、テンションバー５２は、左右方向に延びる円筒形状または円柱形状に形成されている。テンションバー５２は、巻き取り軸５１に平行に配置されている。テンションバー５２の主走査方向Ｙの長さは巻き取り軸５１よりも長い。ただし、テンションバー５２の長さは、巻き取り軸５１の長さと等しくてもよく、巻き取り軸５１の長さよりも短くてもよい。図２に示すように、テンションバー５２はプラテン１６よりも下方に配置されている。テンションバー５２は、プラテン１６および巻き取り軸５１よりも前方に配置されている。なお、本実施形態のテンションバー５２は回転不能に構成されているが、テンションバー５２は回転可能であってもよく、例えば記録媒体５の移動に伴って回転するテンションローラによって構成されていてもよい。
【００３０】
図１に示すように、支持アーム５３Ｌ、５３Ｒは、テンションバー５２を支持する。左の支持アーム５３Ｌは、第１左側壁５６Ｌの左方に位置する第２左側壁５７Ｌに揺動可能に支持されている。右の支持アーム５３Ｒは、第１右側壁５６Ｒの右方に位置する第２右側壁５７Ｒに、揺動可能に支持されている。詳しくは、第２左側壁５７Ｌの右方に、左の支軸５８Ｌが設けられている。また、第２右側壁５７Ｒの左方に、右の支軸５８Ｒが設けられている。左の支持アーム５３Ｌは、左の支軸５８Ｌの中心５８ｃ（図２参照）を中心として円状の軌道で揺動可能に支持されている。右の支持アーム５３Ｒは、右の支軸５８Ｒの中心５８ｃを中心として円状の軌道で揺動可能に支持されている。
【００３１】
図１に示すように、巻き取りモータ５５は、巻き取り軸５１に連結され、巻き取り軸５１を回転させる。巻き取りモータ５５は、図示しない減速ギア等を介して巻き取り軸５１に間接的に接続されている。巻き取り軸５１は巻き取りモータ５５の駆動力を受けて回転する。
【００３２】
図４は、印刷システム１０のブロック図である。図４に示すように、プリンタ１００は、制御装置６０を備えている。制御装置６０は、記録媒体５への印刷および記録媒体５の切断に関する制御をする装置である。制御装置６０の構成は特に限定されない。制御装置６０は、例えばマイクロコンピュータである。マイクロコンピュータのハードウェアの構成は特に限定されないが、例えば、Ｉ／Ｆと、ＣＰＵと、ＲＯＭと、ＲＡＭと、記憶装置と、を備えている。図１に示すように、制御装置６０は、本体１０ａの内部に設けられている。ただし、制御装置６０は本体１０ａの内部に設けられていなくてもよい。例えば、制御装置６０は、本体１０ａの外部に設置されたコンピュータなどであってもよい。この場合、制御装置６０は、有線または無線を介して本体１０ａと通信可能に接続されている。
【００３３】
図４に示すように、制御装置６０は、キャリッジモータ２４、フィードモータ２７、インクヘッド３６、カッティングヘッド３８、メインヒータ１９ａ、プレヒータ１９ｂ、ポストヒータ１９ｃおよび巻き取りモータ５５と電気的に接続されている。制御装置６０は、キャリッジモータ２４の駆動を制御することで、プーリ２２の回転、および、ベルト２３（図１参照）の走行を制御する。これにより、制御装置６０は、インクジェットヘッド３５およびカッティングヘッド３８の主走査方向Ｙへの移動を制御する。制御装置６０は、フィードモータ２７の駆動を制御してグリットローラ２５の回転を制御する。これにより、制御装置６０は、プラテン１６に載置された記録媒体５の副走査方向Ｘへの移動を制御する。制御装置６０は、インクヘッド３６がインクを吐出するタイミングやインクの吐出量などを制御する。制御装置６０は、カッティングヘッド３８を制御することで、上記カッターの上下方向の移動や上記カッターの圧力を制御する。制御装置６０は、メインヒータ１９ａ、プレヒータ１９ｂおよびポストヒータ１９ｃの加熱を制御することで、それぞれメインプラテン１７ａ、上流側プラテン１７ｂおよび下流側プラテン１７ｃの加熱を制御する。また、制御装置６０は、巻き取りモータ５５の駆動を制御することで、巻き取り軸５１の回転を制御する。このことで、プラテン１６に載置された記録媒体５が巻き取り軸５１に巻き取られる。
【００３４】
本実施形態では、制御装置６０は、記憶部６１と、印刷制御部６３と、第１カッティング制御部６４と、第２カッティング制御部６５とを備えている。ここでは、第１カッティング制御部６４は、本発明の「第１制御部」の一例であり、第２カッティング制御部６５は、本発明の「第２制御部」の一例である。制御装置６０の各部は、ソフトウェアによって構成されていてもよいし、ハードウェアによって構成されていてもよい。また、各部は、プロセッサによって実現されてもよいし、回路によって実現されてもよい。また、各部は、プロセッサによって実現される場合、１つのプロセッサによって実現されてもよいし、複数のプロセッサによって実現されてもよい。なお、各部の機能に関する詳しい説明は後述する。
【００３５】
図５は、ジョブデータＪＤ１１の一例を示す図である。図５のジョブデータＪＤ１１は、後述する印刷切断ジョブに関するデータである。ところで、本実施形態に係るプリンタ１００は、複数のコマンドを実行することで、各種設定、記録媒体５に対する印刷、記録媒体５に対する切断が行われる。ここでは、コマンドは、図５に示すように、ジョブコマンドＣＭ１と、制御コマンドＣＭ２と、実行コマンドＣＭ３とを有する。
【００３６】
以下の説明において、印刷、切断などの記録媒体５に対するプリンタ１００の動作のことを「処理」という。ここでは、切断は本発明の「第１処理」および「切断処理」に対応し、印刷は本発明の「第２処理」および「印刷処理」に対応する。ここでは、１つの処理が単一で行われたときの処理、または、複数の処理が連続して行われたときの一連の処理のことを「ジョブ」という。１つのジョブとは、実行コマンドＣＭ３における単一または一連の処理の開始から終了までのプリンタ１００の動作である。ここでは、ジョブの種類のことを「ジョブタイプ」という。
【００３７】
ジョブコマンドＣＭ１とは、基本設定情報などを設定するためのコマンドである。ジョブコマンドＣＭ１とは、いわゆるＰＪＬ（Ｐｒｉｎｔｅｒ  Ｊｏｂ  Ｌａｎｇｕａｇｅ）コマンドである。基本設定情報とは、プリンタ１００に設定される情報であり、印刷および切断に関する基本的な情報のことである。基本設定情報には、例えば、記録媒体５の種類、解像度、インクヘッド３６の移動速度、記録媒体５の搬送速度などが含まれる。
【００３８】
本実施形態に係るプリンタ１００は、上述のようにカッティングヘッド付きプリンタであり、記録媒体５に対して印刷および切断が可能である。ここでは、ジョブタイプとして、例えば、印刷ジョブ、切断ジョブ、印刷切断ジョブの３つが挙げられる。印刷ジョブとは、記録媒体５に対して、印刷が行われ、かつ、切断が行われないジョブのことである。切断ジョブとは、記録媒体５に対して、印刷が行われず、かつ、切断が行われるジョブのことである。印刷切断ジョブとは、記録媒体５に対して印刷が行われ、印刷された記録媒体５に対して切断が行われるジョブのことである。ただし、ジョブタイプとして、上記３つ以外のジョブタイプが存在していてもよい。本実施形態では、印刷切断ジョブは本発明の「第１ジョブ」に対応する。切断ジョブは本発明の「第２ジョブ」に対応する。
【００３９】
制御コマンドＣＭ２とは、印刷時の印刷データＰＤ１、および、切断時のカットデータＣＤ１を指定するコマンドである。ここで、印刷データＰＤ１とは、印刷時に指定されるものであり、印刷対象となる画像データおよび座標などの値で指定されたパスのことである。ここでは、印刷データＰＤ１に対する制御コマンドＣＭ２のことを印刷制御コマンドという。カットデータＣＤ１とは、切断時に指定されるものであり、切断する際のパスであって、座標などの値で指定されたパス（以下、カットパスともいう。）のことである。ここでは、カットデータＣＤ１に対する制御コマンドＣＭ２のことを切断制御コマンドという。プリンタ１００は、制御コマンドＣＭ２を順に実行することで、記録媒体５に対して印刷および切断を行うことができる。
【００４０】
実行コマンドＣＭ３とは、処理の開始およびジョブの終了を指定するコマンドである。本実施形態では、実行コマンドＣＭ３とは、印刷および切断の開始および終了を指定するコマンドである。プリンタ１００は、実行コマンドＣＭ３を実行することで、処理の開始およびジョブの終了、ここでは印刷および切断の開始および終了を認識することができる。なお、実行コマンドＣＭ３の種類は特に限定されない。本実施形態では、実行コマンドＣＭ３として、印刷の開始に関する印刷開始コマンドＣＭ３１、切断の開始に関する切断開始コマンドＣＭ３２、および、ジョブ終了コマンドＣＭ３３が存在する。ジョブ終了コマンドＣＭ３３とは、一連の印刷または切断の処理であるジョブが終了したことを知らせるコマンドである。ここでは、印刷開始コマンドＣＭ３１は、印刷データＰＤ１を含む制御コマンドＣＭ２（ここでは、印刷制御コマンド）の前に指定されるコマンドである。切断開始コマンドＣＭ３２は、カットデータＣＤ１を含む制御コマンドＣＭ２（ここでは、切断制御コマンド）の前に指定されるコマンドである。切断開始コマンドＣＭ３２は、本発明の「第１処理開始コマンド」の一例である。ジョブ終了コマンドＣＭ３３とは、１つのジョブの終了時に指定されるコマンドである。言い換えると、ジョブ終了コマンドＣＭ３３は、ジョブデータＪＤの最後の方に指定されるコマンドである。
【００４１】
本実施形態では、ジョブコマンドＣＭ１、制御コマンドＣＭ２および実行コマンドＣＭ３が処理の順に適宜指定された一連のコマンド群のことをジョブデータＪＤ１１と称する。ジョブデータＪＤ１１では、最初に複数のジョブコマンドＣＭ１が設定され、その後、制御コマンドＣＭ２および実行コマンドＣＭ３が適宜設定される。ここでは、ジョブデータＪＤ１１が保存されたファイルのことをジョブ実行ファイルＦＬ１１と称することとする。
【００４２】
ところで、本実施形態では、ジョブタイプ毎にプリンタ１００の異なる制御が行われることがあり得る。一のジョブタイプでは、他のジョブタイプとは異なる特有な制御が行われることがあり得る。例えば、印刷切断ジョブのときには、印刷された記録媒体５に対して切断が行われる。ここでは、印刷直後に記録媒体５に対する切断が行われるため、記録媒体５に吐出されたインクは乾いていないことがあり得る。そのため、印刷切断ジョブの切断開始前、すなわち、印刷終了直後において、記録媒体５のインクが吐出された印刷部分が下流側プラテン１７ｃ（図２参照）上に配置されるように、記録媒体５を副走査方向Ｘの下流側（方向Ｘ１）に移動させると共に、下流側プラテン１７ｃの下方に配置されたポストヒータ１９ｃ（図２参照）を加熱させるという乾燥制御を行うとよい。このことによって、記録媒体５の印刷部分がポストヒータ１９ｃによって加熱されて乾燥されるため、記録媒体５に吐出されたインクの乾燥を促進させることができる。よって、印刷切断ジョブのときに実行コマンドＣＭ３として切断開始コマンドＣＭ３２が実行されたとき、上記乾燥制御を行った後に、記録媒体５に対する切断に関する制御が行われるとよい。
【００４３】
一方、切断ジョブのときには、記録媒体５に対して切断のみが行われる。記録媒体５は、インクが吐出されていない状態、または、記録媒体５にインクが吐出されている場合であってもインクは乾燥している状態である。そのため、切断ジョブでは、上記乾燥制御は行われなくてもよい。すなわち、切断ジョブのときに実行コマンドＣＭ３として切断開始コマンドＣＭ３２が実行されたとき、上記乾燥制御が行われずに、記録媒体５に対する切断に関する制御が行われるとよい。
【００４４】
以上のように、例えば印刷切断ジョブと切断ジョブとでは、実行コマンドＣＭ３として切断開始コマンドＣＭ３２を実行したときに、上記乾燥制御を行うか否かが異なるとよい。例えば、１つのジョブが開始されるときに、プリンタ１００がどのジョブタイプを行うかを認識することで、同じ実行コマンドＣＭ３を実行する場合であっても、ジョブタイプによって異なる制御を自動ですることができる。
【００４５】
そこで、本実施形態では、基本設定情報は、ジョブタイプを有する。そして、図５に示すように、ジョブコマンドＣＭ１として、ジョブタイプを設定するジョブタイプコマンドＣＭ１１が存在する。このジョブタイプコマンドＣＭ１１を実行することで、１つのジョブ開始時に、どのジョブタイプが開始されるかをプリンタ１００が認識することが可能である。本実施形態では、ジョブタイプコマンドＣＭ１１を実行することで、印刷ジョブ、切断ジョブおよび印刷切断ジョブのうちのどのジョブタイプがこれから行われるかを、プリンタ１００（詳しくは、制御装置６０）が認識することができる。
【００４６】
本実施形態では、ジョブコマンドＣＭ１と、制御コマンドＣＭ２と、実行コマンドＣＭ３とを有するジョブデータＪＤ１１は、ジョブデータ作成装置１５０（図４参照）によって作成される。次に、ジョブデータ作成装置１５０について説明する。本実施形態では、図１に示すように、ジョブデータ作成装置１５０は、プリンタ１００の本体１０ａの外部に設置されたコンピュータによって実現されている。ジョブデータ作成装置１５０を実現するコンピュータは、プリンタ１００に対する専用のコンピュータであってもよいし、汎用コンピュータであってもよい。ただし、ジョブデータ作成装置１５０は、本体１０ａの内部に設けられていてもよい。図４に示すように、ジョブデータ作成装置１５０は、表示画面１５１と、操作部１５２と、作成制御装置１６０とを備えている。
【００４７】
表示画面１５１には、例えばジョブタイプなどの基本設定情報や、印刷対象となる印刷画像データ（以下、印刷画像ともいう。）、切断対象となる形状などが指定されたカット画像データ（以下、カット画像ともいう。）などが表示される。印刷画像データは、例えば印刷される画像である。カット画像データは、例えば切断する位置などが示された画像のことである。この印刷画像データおよびカット画像データは、後述する作成記憶部１６２に記憶されている。なお、表示画面１５１の具体的な種類は特に限定されない。例えば、表示画面１５１は、コンピュータのディスプレイである。ただし、表示画面１５１は、プリンタ１００の操作パネル（図示せず）に設けられていてもよい。
【００４８】
操作部１５２は、基本設定情報、印刷画像データおよびカット画像データをユーザが入力、または、指定するものである。例えば、ユーザは、操作部１５２を操作することで、基本設定情報のジョブタイプを指定することができる。なお、操作部１５２の具体的な種類は特に限定されない。例えば、操作部１５２は、コンピュータのキーボードおよびマウスである。ただし、操作部１５２は、表示画面１５１に設けられたタッチパネルであってもよい。また、操作部１５２は、プリンタ１００の操作パネル（図示せず）に設けられていてもよい。なお、操作部１５２から入力された基本設定情報は、作成記憶部１６２に記憶される。
【００４９】
本実施形態では、作成制御装置１６０は、例えばジョブデータＪＤ１１（図５参照）を作成する装置であると共に、作成したジョブデータＪＤ１１をプリンタ１００の制御装置６０に送信するものである。作成制御装置１６０の構成は特に限定されない。作成制御装置１６０は、例えばマイクロコンピュータである。マイクロコンピュータのハードウェアの構成は特に限定されないが、例えば、ホストコンピュータなどの外部機器から印刷データなどを受信するインターフェイス（Ｉ／Ｆ）と、ＣＰＵと、ＲＯＭと、ＲＡＭと、記憶装置などを備えている。
【００５０】
作成制御装置１６０は、プリンタ１００の制御装置６０と有線または無線を介して通信可能に接続されている。また、作成制御装置１６０は、表示画面１５１および操作部１５２と通信可能に接続されている。
【００５１】
本実施形態では、作成制御装置１６０は、作成記憶部１６２と、ジョブデータ作成部１６４と、送信部１６６とを有する。上記各部は、ソフトウェアによって構成されていてもよいし、ハードウェアによって構成されていてもよい。例えば、上記各部は、プロセッサによって行なわれるものであってもよいし、回路に組み込まれるものであってもよい。
【００５２】
作成記憶部１６２には、例えば印刷画像データおよびカット画像データが予め記憶されている。ジョブデータ作成部１６４は、これから実行されるジョブのデータであるジョブデータＪＤ１１を作成する。例えば、ジョブデータ作成部１６４は、表示画面１５１に表示された基本設定情報や、印刷画像データ、カット画像データに基づいて、図５に示すように、所定の形式に沿ったコマンドであるジョブコマンドＣＭ１、制御コマンドＣＭ２、実行コマンドＣＭ３を作成する。例えば、印刷画像データから制御コマンドＣＭ２の印刷データＰＤ１が作成される。カット画像データから制御コマンドＣＭ２のカットデータＣＤ１が作成される。そして、ジョブデータ作成部１６４は、実行するジョブタイプに基づいて、作成したジョブコマンドＣＭ１、制御コマンドＣＭ２、実行コマンドＣＭ３を適宜並べることで、ジョブデータＪＤ１１を作成する。例えば、印刷切断ジョブに関するジョブデータＪＤ１１では、図５に示すように、ジョブコマンドＣＭ１、実行コマンドＣＭ３の印刷開始コマンドＣＭ３１、印刷データＰＤ１に関する制御コマンドＣＭ２、実行コマンドＣＭ３の切断開始コマンドＣＭ３２、カットデータＣＤ１に関する制御コマンドＣＭ２、実行コマンドＣＭ３のジョブ終了コマンドＣＭ３３が順に並べられている。なお、ジョブデータ作成部１６４によって作成されたジョブデータＪＤ１１は、ジョブ実行ファイルＦＬ１１に保存される。ジョブ実行ファイルＦＬ１１は、作成記憶部１６２に記憶される。
【００５３】
送信部１６６は、ジョブデータ作成部１６４によって作成されたジョブデータＪＤ１１をプリンタ１００の制御装置６０に送信する。ここでは、送信部１６６は、作成記憶部１６２に記憶されたジョブ実行ファイルＦＬ１１を制御装置６０に送信することで、これからプリンタ１００が実行するジョブデータＪＤ１１を制御装置６０に送信する。
【００５４】
なお、プリンタ１００の制御装置６０は、図４に示すように、さらに、受信部６６と、コマンド実行部６７とを備えている。受信部６６は、送信部１６６によって送信されたジョブ実行ファイルＦＬ１１を受信することで、ジョブデータＪＤ１１を受信する。なお、受信部６６は、受信部６６が受信したジョブデータＪＤ１１を記憶部６１に記憶させる。
【００５５】
ジョブデータＪＤ１１を受信した後、コマンド実行部６７は、ジョブデータＪＤ１１内のコマンドを順に実行することで、記録媒体５に対してのジョブを実行する。例えば、コマンド実行部６７は、ジョブコマンドＣＭ１（図５参照）を実行することで、ジョブタイプ、記録媒体５の種類、解像度、インクヘッド３６の移動速度、記録媒体５の搬送速度などの基本設定情報をプリンタ１００に設定する。コマンド実行部６７は、ジョブタイプコマンドＣＭ１１を実行することで、ジョブタイプコマンドＣＭ１１で設定されるジョブタイプをプリンタ１００に設定する。ここで、基本設定情報を設定するとは、例えばジョブコマンドＣＭ１によって実行された基本設定情報を記憶部６１に記憶させることである。
【００５６】
例えば、コマンド実行部６７は、実行コマンドＣＭ３の印刷開始コマンドＣＭ３１（図５参照）を実行する。このとき、印刷制御部６３は、印刷開始コマンドＣＭ３１以降の印刷データＰＤ１に関する制御コマンドＣＭ２に基づいて、印刷に関する制御を行う。ここでは、印刷制御部６３は、制御コマンドＣＭ２の印刷データＰＤ１に基づいて、キャリッジモータ２４（図４参照）を駆動することによってインクヘッド３６を主走査方向Ｙに移動させつつ、インクヘッド３６からインクを吐出させる。これにより、一走査ラインの印刷が行われる。インクヘッド３６の主走査方向Ｙの移動が済むと、フィードモータ２７（図４参照）を駆動することにより、次の走査ラインの位置まで記録媒体５を副走査方向Ｘに搬送する。記録媒体５の副走査方向Ｘの搬送が済むと、再びキャリッジモータ２４を駆動すると共にインクヘッド３６を駆動し、次の走査ラインの印刷を行う。以下、印刷の終了まで同様の動作を繰り返す。
【００５７】
例えば、コマンド実行部６７は、実行コマンドＣＭ３の切断開始コマンドＣＭ３２（図５参照）を実行する。このとき、カッティング制御部６４、６５は、切断開始コマンドＣＭ３２以降のカットデータＣＤ１に関する制御コマンドＣＭ２に基づいて、カッティングヘッド３８を制御する。ここでは、カッティング制御部６４、６５は、制御コマンドＣＭ２のカットデータＣＤ１に基づいて、キャリッジモータ２４を駆動すると共にフィードモータ２７を駆動することにより、記録媒体５に対しカッティングヘッド３８を２次元的に相対移動させる。そして、カッティングヘッド３８に設けられたソレノイド（図示せず）をＯＮすると、カッティングヘッド３８のカッター（図示せず）が下がり、カッターを記録媒体５に押し当てることができる。カッターを記録媒体５に押し当てたままカッティングヘッド３８を記録媒体５に対し相対移動させることにより、記録媒体５を切断することができる。
【００５８】
次に、ジョブタイプが異なる場合において、記録媒体５に対して切断を行う前に乾燥制御を行うか否かを決定する手順について、図６のフローチャートに沿って説明する。本実施形態では、ジョブタイプコマンドＣＭ１１（図５参照）を実行することで、どのジョブタイプを実行するかを事前に認識し、切断前に乾燥制御が行われるか否かを自動的に決定する。
【００５９】
ここでは、まず、ジョブタイプが切断ジョブの場合について説明する。図７は、切断ジョブに関するジョブデータＪＤ１２の一例を示す図である。図７に示すように、切断ジョブに対するジョブデータＪＤ１２は、切断ジョブであることを設定するジョブタイプコマンドＣＭ１１を含むジョブコマンドＣＭ１、実行コマンドＣＭ３の切断開始コマンドＣＭ３２、複数のカットデータＣＤ１に対する制御コマンドＣＭ２、および、実行コマンドＣＭ３のジョブ終了コマンドＣＭ３３が順に並べられている。ジョブデータＪＤ１２は、ジョブ実行ファイルＦＬ１２に保存されている。
【００６０】
切断ジョブのジョブデータＪＤ１２を実行する際、図６のステップＳ１０１では、コマンド実行部６７は、ジョブタイプコマンドＣＭ１１を含むジョブコマンドＣＭ１を順に実行する。このことで、記憶部６１にジョブタイプを含む基本設定情報が記憶される。
【００６１】
その後、ステップＳ１０３では、コマンド実行部６７は、切断開始コマンドＣＭ３２を実行する。このことで、プリンタ１００は、記録媒体５に対して切断が行われることを事前に認識し、切断に関する処理が行われる。この一例では、ジョブタイプが切断ジョブであるため、ステップＳ１０５の処理では、ＮＯに進み、次にステップＳ１０７に進む。
【００６２】
ステップＳ１０７では、第２カッティング制御部６５は、乾燥制御をすることなく、次のステップＳ１１１における切断に関する制御を行う。すなわち、第２カッティング制御部６５は、記録媒体５を副走査方向Ｘの下流側（方向Ｘ１）に移動させることなく、かつ、ポストヒータ１９ｃを加熱させる制御を行わない。本実施形態では、第２カッティング制御部６５は、切断ジョブのときに切断開始コマンドＣＭ３２を実行すると、乾燥制御が行われることなく、ステップＳ１１１において、切断開始コマンドＣＭ３２以降のカットデータＣＤ１に関する制御コマンドＣＭ２に基づいて記録媒体５を切断するように、ヘッド移動機構３１、媒体移動機構３２およびカッティングヘッド３８を制御する。本実施形態では、乾燥制御を行わない制御が、本発明の「第２の制御」に対応する。
【００６３】
次に、ジョブタイプが印刷切断ジョブの場合について説明する。印刷切断ジョブでは、図５のジョブデータＪＤ１１を実行する。図６のステップＳ１０１では、コマンド実行部６７は、印刷切断ジョブであることを設定するジョブタイプコマンドＣＭ１１を含むジョブコマンドＣＭ１を順に実行する。このことで、記憶部６１にジョブタイプを含む基本設定情報が記憶される。
【００６４】
なお、この一例では、ステップＳ１０１とステップＳ１０３の間において、以下に示すような記録媒体５に対する印刷が行われる。コマンド実行部６７は、例えば図５に示すように、印刷開始コマンドＣＭ３１を実行する。このことで、プリンタ１００は、記録媒体５に対して印刷が行われることを事前に認識し、印刷に関する処理を行う。本実施形態では、印刷開始前において、乾燥制御は行われない。印刷制御部６３は、乾燥制御を行うことなく、印刷開始コマンドＣＭ３１以降の印刷データＰＤ１に関する制御コマンドＣＭ２に基づいて記録媒体５に印刷を行うように、ヘッド移動機構３１、媒体移動機構３２およびインクヘッド３６を制御する。
【００６５】
このようにして、記録媒体５に対する印刷が終了した後、図６のステップＳ１０３では、コマンド実行部６７は、切断開始コマンドＣＭ３２を実行する。このことで、プリンタ１００は、記録媒体５に対して切断が行われることを事前に認識し、切断に関する処理を行う。この一例では、ジョブタイプが印刷切断ジョブであるため、ステップＳ１０５の処理では、ＹＥＳに進み、次にステップＳ１０９に進む。
【００６６】
ステップＳ１０９では、第１カッティング制御部６４は、乾燥制御を行う。ここでは、第１カッティング制御部６４は、プラテン１６に載置された記録媒体５を副走査方向Ｘの下流側に所定の距離移動させるように媒体移動機構３２を制御すると共に、ポストヒータ１９ｃを加熱させる。このことで、下流側プラテン１７ｃ上の記録媒体５の部分を乾燥させることができる。ここで、所定の距離とは、印刷データＰＤ１に関する制御コマンドＣＭ２や印刷対象である印刷画像に基づいて決定される値である。所定の距離とは、例えば、ポストヒータ１９ｃよりも後方に、記録媒体５の印刷部分が位置しない程度の距離のことである。本実施形態では、乾燥制御を行う制御が、本発明の「第１の制御」に対応する。
【００６７】
以上のようにして、乾燥制御が行われた後、ステップＳ１１１では、第１カッティング制御部６４は、図５に示すように、切断開始コマンドＣＭ３２以降のカットデータＣＤ１に関する制御コマンドＣＭ２に基づいて記録媒体５を切断するように、ヘッド移動機構３１、媒体移動機構３２およびカッティングヘッド３８を制御する。
【００６８】
なお、本実施形態では、ジョブタイプが印刷ジョブの場合では、印刷切断ジョブの印刷の場合と同様の制御が行われる。すなわち、印刷ジョブのときに印刷が行われる際、印刷制御部６３は、乾燥制御を行うことなく、印刷開始コマンドＣＭ３１以降の印刷データＰＤ１に関する制御コマンドＣＭ２に基づいて記録媒体５に印刷を行うように、ヘッド移動機構３１、媒体移動機構３２およびインクヘッド３６を制御する。
【００６９】
以上、本実施形態では、ジョブが実行される前において、コマンド実行部６７がジョブタイプコマンドＣＭ１１を実行することで、制御装置６０は、どのジョブタイプのジョブが実行されるかを事前に認識することができる。よって、コマンド実行部６７がジョブタイプコマンドＣＭ１１を実行することで、ジョブタイプコマンドＣＭ１１に設定されたジョブタイプが印刷切断ジョブの場合には、ユーザが事前に設定することなく、乾燥制御を行うことができる。また、コマンド実行部６７がジョブタイプコマンドＣＭ１１を実行することで、ジョブタイプコマンドＣＭ１１に設定されたジョブタイプが切断ジョブの場合には、ユーザが事前に設定することなく、乾燥制御を行うことなく切断に関する制御を行うことができる。
【００７０】
本実施形態では、同じ切断に関する処理であっても、印刷切断ジョブと切断ジョブとでは、乾燥制御が行われるか否かが異なる。ここでは、コマンド実行部６７がジョブタイプコマンドＣＭ１１を実行することで、制御装置６０がどのジョブタイプのジョブがこれから実行されるかを事前に認識することができる。よって、ジョブタイプに応じて、乾燥制御が行われるか否かを自動で決定することができる。
【００７１】
本実施形態では、印刷切断ジョブでは、記録媒体５に対して印刷が行われた後、乾燥制御が行われることで、記録媒体５に吐出されたインクの乾燥を促進することができる。よって、インクが乾燥した状態で、記録媒体５に対する切断が行われるため、印刷の品質を維持することができる。
【００７２】
本実施形態では、印刷制御部６３は、印刷ジョブの印刷開始時、乾燥制御を行わずに、印刷に関する制御を行う。印刷ジョブの印刷開始時には、記録媒体５にはインクが吐出されていないため、乾燥制御を行わなくてもよい。よって、コマンド実行部６７がジョブタイプコマンドＣＭ１１を実行することで、どのジョブタイプのジョブが実行されるかを事前に認識することができるため、印刷制御部６３は、印刷開始時に、乾燥制御を行うことなく、印刷に関する制御を自動で行うことができる。
【００７３】
以上、第１実施形態に係るプリンタ１００を備えた印刷システム１０について説明した。次に、他の実施形態に係る印刷システムについて説明する。なお、以下の説明において、既に説明した構成と同様の構成には同じ符号を使用し、その説明は適宜省略する。
【００７４】
＜第２実施形態＞
次に第２実施形態について説明する。本実施形態では、プリンタの構成は、第１実施形態のプリンタ１００と同じであるが、第１カッティング制御部６４および第２カッティング制御部６５の具体的な制御が異なる。本実施形態では、第１実施形態に係るプリンタ１００と同様の符号を用いて説明する。
【００７５】
上述のように、ジョブタイプ毎に異なるプリンタ１００の制御が行われることがあり得る。本実施形態では、印刷または切断前の記録媒体５は、供給装置４０の供給軸４１（図２参照）に巻かれた状態である。そのため、切断前において、記録媒体５のうち切断される領域分、副走査方向Ｘの下流側に記録媒体５が搬送された後、再度、引き戻される（すなわち、副走査方向Ｘの上流側（方向Ｘ２）に移動する）ことが好ましい。このことによって、ロール状に巻かれた記録媒体５の曲がりなどのクセを緩和させることができ、より正確に切断することができる。本実施形態では、供給装置４０の供給軸４１に巻かれた記録媒体５を所定の長さ分、プラテン１６上（言い換えると、副走査方向Ｘの下流側）に供給した後、プラテン１６に載置された記録媒体５を副走査方向Ｘの上流側に上記所定の長さ分、移動させるように媒体移動機構３２を制御することを「先送り制御」という。また、上記所定の長さのことを「先送り量」という。
【００７６】
切断ジョブのときの切断時、副走査方向Ｘの下流側に搬送される記録媒体５の長さは、切断対象となるカット画像の副走査方向Ｘの長さに対応した長さである。ここで、カット画像とは、上述したカットデータを画像化したものであり、切断の位置などが示されたものである。切断ジョブのときの切断時には、切断対象のカット画像の副走査方向Ｘの長さを先送り量として先送り制御を行った後に、切断に関する制御が行われるとよい。
【００７７】
一方、印刷切断ジョブのときには、記録媒体５に対して印刷が行われた後に、切断が行われる。印刷が行われた後の記録媒体５は、すでに、印刷対象の印刷画像の副走査方向Ｘの長さ分、副走査方向Ｘの下流側に搬送されている。よって、印刷切断ジョブの切断時において、カット画像の副走査方向Ｘの長さが印刷画像の副走査方向Ｘの長さよりも長い場合に、先送り制御が行われる。このときの先送り制御による先送り量は、カット画像の副走査方向Ｘの長さと、印刷画像の副走査方向Ｘの長さとの差分の長さ以上である。
【００７８】
以上のように、例えば印刷切断ジョブと切断ジョブとでは、実行コマンドＣＭ３として切断開始コマンドＣＭ３２を実行したときに行われる上記先送り制御の先送り量が異なる。
【００７９】
次に、ジョブタイプが異なる場合において、記録媒体５に対して切断を行う前に先送り制御を行うか否かを決定する手順、および、先送り制御の先送り量を決定する手順について、図８のフローチャートに沿って説明する。本実施形態では、ジョブタイプコマンドＣＭ１１を実行することで、どのジョブタイプを実行するかを事前に認識し、ジョブタイプに応じて、先送り制御を行うか否か、および、先送り制御の先送り量が自動的に決定される。
【００８０】
まず、ジョブタイプが切断ジョブの場合について説明する。図７に示すように、切断ジョブのジョブデータＪＤ１２を実行する際、図８のステップＳ２０１では、コマンド実行部６７は、切断ジョブであることを設定するジョブタイプコマンドＣＭ１１を含むジョブコマンドＣＭ１を順に実行する。このことで、記憶部６１にジョブタイプを含む基本設定情報が記憶される。
【００８１】
次に、ステップＳ２０３では、コマンド実行部６７は、切断開始コマンドＣＭ３２を実行する。このことで、プリンタ１００は、記録媒体５に対して切断が行われることを事前に認識し、切断に関する処理が行われる。この一例では、ジョブタイプが切断ジョブであるため、ステップＳ２０５の処理では、ＮＯに進み、次にステップＳ２０７に進む。
【００８２】
ステップＳ２０７では、第２カッティング制御部６５は、先送り制御を行う。ここでは、第２カッティング制御部６５は、切断開始コマンドＣＭ３２以降のカットデータＣＤ１に基づいたカット画像の副走査方向Ｘの長さ（以下、切断長さともいう。）を先送り量として、先送り制御を行う。具体的には、第２カッティング制御部６５は、プラテン１６に載置された記録媒体５を、先送り量の長さ分、副走査方向Ｘの下流側（言い換えると、方向Ｘ１）に移動させるように媒体移動機構３２を制御する。その後、第２カッティング制御部６５は、先送り量の長さ分（言い換えると、切断長さ分）、副走査方向Ｘの上流側（言い換えると、方向Ｘ２）に移動させるように媒体移動機構３２を制御する。本実施形態では、ステップＳ２０７に関する制御が、本発明の「第２の制御」に対応する。
【００８３】
以上のような先送り制御をした後、ステップＳ２１５に進む。ステップＳ２１５では、第２カッティング制御部６５は、切断に関する制御を行う。ここでは、第２カッティング制御部６５は、切断開始コマンドＣＭ３２以降のカットデータＣＤ１に関する制御コマンドＣＭ２に基づいて記録媒体５を切断するように、ヘッド移動機構３１、媒体移動機構３２およびカッティングヘッド３８を制御する。
【００８４】
次に、ジョブタイプが印刷切断ジョブの場合について説明する。印刷切断ジョブでは、図５のジョブデータＪＤ１１を実行する。図８のステップＳ２０１では、コマンド実行部６７は、印刷切断ジョブであることを設定するジョブタイプコマンドＣＭ１１を含むジョブコマンドＣＭ１を順に実行する。このことで、記憶部６１にジョブタイプを含む基本設定情報が記憶される。
【００８５】
なお、この一例では、ステップＳ２０１とステップＳ２０３の間において、以下に示すような記録媒体５に対する印刷が行われる。コマンド実行部６７は、例えば図５に示すように、印刷開始コマンドＣＭ３１を実行する。このことで、プリンタ１００は、記録媒体５に対して印刷が行われることを事前に認識し、印刷に関する処理を行う。本実施形態では、印刷開始前において、先送り制御は行われない。印刷制御部６３は、先送り制御を行うことなく、印刷開始コマンドＣＭ３１以降の印刷データＰＤ１に関する制御コマンドＣＭ２に基づいて記録媒体５に印刷を行うように、ヘッド移動機構３１、媒体移動機構３２およびインクヘッド３６を制御する。
【００８６】
このようにして、記録媒体５に対する印刷が終了した後、ステップＳ２０３では、コマンド実行部６７は、切断開始コマンドＣＭ３２を実行する。このことで、プリンタ１００は、記録媒体５に対して切断が行われることを認識し、切断に関する処理を行う。この一例では、ジョブタイプが印刷切断ジョブであるため、ステップＳ２０５の処理では、ＹＥＳに進み、次にステップＳ２０９に進む。
【００８７】
ステップＳ２０９では、第１カッティング制御部６４は、切断長さが印刷長さよりも長いか否かを判定する。ここで、印刷長さとは、印刷時に、記録媒体５が副走査方向Ｘの下流側に移動した距離、すなわち、印刷対象となる印刷画像の記録媒体５に対応した副走査方向Ｘの長さのことである。切断長さとは、これから行われる切断における切断対象となる切断画像の記録媒体５に対応した副走査方向Ｘの長さのことである。ここで、切断長さが印刷長さよりも長い場合には、次にステップＳ２１１に進む。一方、切断長さが印刷長さ以下の場合には、次にステップＳ２１３に進む。
【００８８】
切断長さが印刷長さよりも長い場合、ステップＳ２１１では、第１カッティング制御部６４は、先送り制御を行う。ここでは、第１カッティング制御部６４は、印刷長さと切断長さとの差分を先送り量として、先送り制御を行う。具体的には、第１カッティング制御部６４は、プラテン１６に載置された記録媒体５を、先送り量の長さ分、副走査方向Ｘの下流側に移動させるように媒体移動機構３２を制御する。その後、第１カッティング制御部６４は、切断長さ分、副走査方向Ｘの上流側に移動させるように媒体移動機構３２を制御する。先送り制御をした後、ステップＳ２１５に進む。
【００８９】
一方、切断長さが印刷長さ以下の場合、ステップＳ２１３では、第１カッティング制御部６４は、先送り制御を行うことなく、次にステップＳ２１５に進む。本実施形態では、ステップＳ２１１の制御およびステップＳ２１３の制御が、本発明の「第１の制御」に対応する。なお、ステップＳ２１５における第１カッティング制御部６４の制御は、上述したステップＳ２１５における第２カッティング制御部６５の制御と同様のため、説明は省略する。
【００９０】
なお、本実施形態では、ジョブタイプが印刷ジョブの場合では、印刷切断ジョブの印刷の場合と同様の制御が行われる。すなわち、印刷ジョブのときに印刷が行われる際、印刷制御部６３は、先送り制御を行うことなく、印刷開始コマンドＣＭ３１以降の印刷データＰＤ１に関する制御コマンドＣＭ２に基づいて記録媒体５に印刷を行うように、ヘッド移動機構３１、媒体移動機構３２およびインクヘッド３６を制御する。
【００９１】
以上、本実施形態では、第１実施形態と同様に、ジョブが実行される前において、コマンド実行部６７がジョブタイプコマンドＣＭ１１を実行するため、制御装置６０は、どのジョブタイプのジョブが実行されるかを事前に認識することができる。よって、印刷切断ジョブが設定されたジョブタイプコマンドＣＭ１１が実行された場合には、ユーザが事前に設定することなく、切断長さが印刷長さよりも長い場合には、印刷長さと切断長さとの差分を先送り量として、先送り制御を行うことができる。また、切断ジョブが設定されたジョブタイプコマンドＣＭ１１が実行された場合には、ユーザが事前に設定することなく、切断長さを先送り量として、先送り制御を行うことができる。
【００９２】
印刷ジョブが設定されたジョブタイプコマンドＣＭ１１が実行された場合には、ユーザが事前に設定することなく、先送り制御を行わずに、印刷に関する制御を行うことができる。よって、ジョブタイプに応じて、先送り量の設定、および、先送り制御の有無を自動で決定することができる。
【００９３】
本実施形態では、切断開始前には、先送り制御が行われる。先送り制御によって、ロール状に巻かれた記録媒体５の曲がりなどのクセを緩和させることができ、記録媒体５をより正確に切断することができる。
【００９４】
＜第３実施形態＞
次に第３実施形態に係るプリンタ３００について説明する。図９は、第３実施形態に係るプリンタ３００のブロック図である。本実施形態では、印刷システムは、プリンタ３００と、ジョブデータ作成装置１５０（図４参照）とを備えている。プリンタ３００は、制御装置２６０を備えている。本実施形態では、制御装置２６０以外のプリンタ３００の構成は、第１実施形態のプリンタ１００と同じである。ここでは、制御装置２６０は、記憶部６１と、第１印刷制御部２６２と、第２印刷制御部２６３と、カッティング制御部２６４と、受信部６６と、コマンド実行部６７とを備えている。本実施形態では、第１印刷制御部２６２は、本発明の「第１制御部」の一例であり、第２印刷制御部２６３は、本発明の「第２制御部」の一例である。また、本実施形態では、印刷が本発明の「第１処理」および「印刷処理」に対応し、切断が本発明の「第２処理」および「切断処理」に対応する。
【００９５】
本実施形態に係るプリンタ３００においても、ジョブタイプ毎に異なるプリンタ３００の制御が行われることがあり得る。以下の説明において、印刷時、記録媒体５に所定の範囲（例えば、所定の回数分のスキャンにおける印刷範囲）の印刷が行われる毎に、所定の範囲における副走査方向Ｘの長さ分の記録媒体５を巻き取り軸５１（図２参照）に巻き取るように巻き取り装置５０（図２参照）を制御することを「巻き取り制御」という。
【００９６】
印刷ジョブのときの印刷時には、上記巻き取り制御が行われる。一方、印刷切断ジョブの場合では、印刷後に切断が行われる。そのため、印刷中、次の切断に備えて、巻き取り制御は行なわれない方が好ましい。よって、本実施形態では、印刷切断ジョブのときの印刷時には、巻き取り制御は行われない。以上のように、例えば印刷切断ジョブと印刷ジョブとでは、実行コマンドＣＭ３として印刷開始コマンドＣＭ３１を実行したときの印刷中、上記巻き取り制御を行うか否かが異なる。
【００９７】
本実施形態では、ロール状の記録媒体５をプリンタ３００にセットする場合、テンションバー５２（図２参照）によって張られた状態で記録媒体５はセットされる。そして、ジョブの中に切断が含まれる場合には、ジョブ開始時に、記録媒体５を副走査方向Ｘの下流側に所定の距離分、移動させて、テンションバー５２によって記録媒体５が張られた状態にしないことが好ましい。これは、切断時、記録媒体５は副走査方向Ｘの上流側および下流側に移動しながら切断されるため、記録媒体５の張りに余裕を持たせるためである。以下の説明において、ジョブ開始時、記録媒体５を副走査方向Ｘの下流側に所定の距離分、移動させるように媒体移動機構３２を制御することを「初期制御」という。ここで、所定の距離とは、予め設定された値であり、記憶部６１に予め記憶されている。所定の距離は、プリンタ３００毎に設定される値であり、例えば６０ｍｍである。
【００９８】
印刷ジョブのときの印刷時には、印刷の後から記録媒体５の切断が行われない。そのため、印刷ジョブのときの印刷時には、上記初期制御は行なわれない。一方、印刷切断ジョブの場合では、印刷後に切断が行われる。そのため、印刷開始前において、上記初期制御が行なわれることが好ましい。以上のように、例えば印刷切断ジョブと印刷ジョブとでは、実行コマンドＣＭ３として印刷開始コマンドＣＭ３１を実行したときの印刷前、上記初期制御が行なわれる否かが異なる。
【００９９】
次に、ジョブタイプが異なる場合において、記録媒体５に対して印刷を行う際に、巻き取り制御を行うか否か、および、初期制御を行うか否かを決定する手順について、図１０のフローチャートに沿って説明する。本実施形態では、ジョブタイプコマンドＣＭ１１を実行することで、どのジョブタイプを実行するかを事前に認識し、印刷中に巻き取り制御が行われる否か、および、印刷前に初期制御が行われるか否かを自動的に決定する。
【０１００】
まず、ジョブタイプが印刷ジョブの場合について説明する。図１１は、印刷ジョブに関するジョブデータＪＤ１３の一例を示す図である。図１１に示すように、印刷ジョブに対するジョブデータＪＤ１３は、印刷ジョブであることを設定するジョブタイプコマンドＣＭ１１を含むジョブコマンドＣＭ１、実行コマンドＣＭ３の印刷開始コマンドＣＭ３１、複数の印刷データＰＤ１に対する制御コマンドＣＭ２、および、実行コマンドＣＭ３のジョブ終了コマンドＣＭ３３が順に並べられている。ジョブデータＪＤ１３は、ジョブ実行ファイルＦＬ１３に保存されている。
【０１０１】
印刷ジョブのジョブデータＪＤ１３を実行する際、図１０のステップＳ３０１では、コマンド実行部６７は、印刷ジョブであることを設定するジョブタイプコマンドＣＭ１１を含むジョブコマンドＣＭ１を順に実行する。このことで、記憶部６１にジョブタイプを含む基本設定情報が記憶される。
【０１０２】
次に、ステップＳ３０３では、コマンド実行部６７は、印刷開始コマンドＣＭ３１を実行する。このことで、プリンタ１００は、記録媒体５に対して印刷が行われることを認識し、印刷に関する処理が行われる。この一例では、ジョブタイプが印刷ジョブであるため、ステップＳ３０５の処理では、ＮＯに進み、次にステップＳ３０７に進む。
【０１０３】
ステップＳ３０７では、第２印刷制御部２６３は、初期制御を行わない。すなわち、第２印刷制御部２６３は、印刷前において、記録媒体５は副走査方向Ｘの下流側に所定の距離分、移動させるように媒体移動機構３２を制御しない。すなわち、印刷ジョブの印刷前では、テンションバー５２による記録媒体５の張りを緩めない。ここでは、第２印刷制御部２６３は、初期制御を行わずに、記録媒体５に対する印刷を開始する。
【０１０４】
次に、ステップＳ３０９では、第２印刷制御部２６３は、巻き取り制御を行いながら、印刷に関する制御を行う。具体的には、第２印刷制御部２６３は、印刷開始コマンドＣＭ３１以降の印刷データＰＤ１に関する制御コマンドＣＭ２に基づいて記録媒体５に印刷を行うように、ヘッド移動機構３１、媒体移動機構３２およびインクヘッド３６を制御する。そして、第２印刷制御部２６３は、記録媒体５に所定の範囲の印刷が行われる毎に、所定の範囲における副走査方向Ｘの長さ分の記録媒体５を巻き取り軸５１に巻き取るように巻き取り装置５０（図２参照）を制御する。印刷ジョブでは、印刷終了時、記録媒体５は、巻き取り軸５１に巻かれた状態となる。本実施形態では、巻き取り制御が行う制御が、本発明の「第２の制御」に対応する。
【０１０５】
次に、ジョブタイプが印刷切断ジョブの場合について説明する。印刷切断ジョブでは、図５のジョブデータＪＤ１１を実行する。図１０のステップＳ３０１では、コマンド実行部６７は、印刷切断ジョブであることを設定するジョブタイプコマンドＣＭ１１を含むジョブコマンドＣＭ１を順に実行する。このことで、記憶部６１にジョブタイプを含む基本設定情報が記憶される。
【０１０６】
次に、ステップＳ３０３では、コマンド実行部６７は、印刷開始コマンドＣＭ３１を実行する。このことで、プリンタ１００は、記録媒体５に対して印刷が行われることを認識し、印刷に関する処理を行う。この一例では、ジョブタイプが印刷切断ジョブであるため、ステップＳ３０５の処理では、ＹＥＳに進み、次にステップＳ３１１に進む。
【０１０７】
ステップＳ３１１では、第１印刷制御部２６２は、初期制御を行う。すなわち、第１印刷制御部２６２は、印刷前において、記録媒体５は副走査方向Ｘの下流側に所定の距離分、移動させるように媒体移動機構３２を制御する。すなわち、印刷切断ジョブの印刷前では、テンションバー５２による記録媒体５の張りを緩める。
【０１０８】
次に、ステップＳ３１３では、第１印刷制御部２６２は、巻き取り制御を行うことなく、印刷に関する制御を行う。具体的には、第１印刷制御部２６２は、印刷開始コマンドＣＭ３１以降の印刷データＰＤ１に関する制御コマンドＣＭ２に基づいて記録媒体５に印刷を行うように、ヘッド移動機構３１、媒体移動機構３２およびインクヘッド３６を制御する。このとき、巻き取り制御は行われない。印刷切断ジョブでは、印刷終了時、印刷領域を含む記録媒体５の部分は、巻き取り軸５１に巻かれていない状態となる。本実施形態では、巻き取り制御を行わない制御が、本発明の「第１の制御」に対応する。
【０１０９】
なお、印刷切断ジョブでは、ステップＳ３１３の後において、記録媒体５に対する切断が行われる。ここでは、コマンド実行部６７は、切断開始コマンドＣＭ３２を実行する。このとき、カッティング制御部２６４は、初期制御および巻き取り制御を行わずに、切断開始コマンドＣＭ３２以降のカットデータＣＤ１に関する制御コマンドＣＭ２に基づいて記録媒体５を切断するように、ヘッド移動機構３１、媒体移動機構３２およびカッティングヘッド３８を制御する。
【０１１０】
なお、本実施形態では、ジョブタイプが切断ジョブの場合では、切断が行われる際、カッティング制御部２６４は、初期制御を行い、かつ、巻き取り制御を行わずに、切断に関する制御を行う。
【０１１１】
以上、本実施形態では、上記各実施形態と同様に、ジョブが実行される前において、コマンド実行部６７がジョブタイプコマンドＣＭ１１を実行するため、制御装置６０は、どのジョブタイプのジョブが実行されるかを事前に認識することができる。よって、印刷切断ジョブが設定されたジョブタイプコマンドＣＭ１１が実行された場合には、ユーザが事前に設定することなく、初期制御を行い、かつ、巻き取り制御を行わずに記録媒体５に対する印刷を行うことができる。また、印刷ジョブが設定されたジョブタイプコマンドＣＭ１１が実行された場合には、ユーザが事前に設定することなく、初期制御を行わず、かつ、巻き取り制御を行いながら記録媒体５に対する印刷を行うことができる。
【０１１２】
切断ジョブが設定されたジョブタイプコマンドＣＭ１１が実行された場合には、ユーザが事前に設定することなく、初期制御を行い、かつ、巻き取り制御を行わずに記録媒体５に対する切断を行うことができる。よって、ジョブタイプに応じて、初期制御の有無、および、巻き取り制御の有無を自動で決定することができる。
【０１１３】
上述した各実施形態では、ジョブデータＪＤ１１、ＪＤ１２、ＪＤ１３は、ジョブデータ作成装置１５０によって作成されていた。しかしながら、ジョブデータＪＤ１１、ＪＤ１２、ＪＤ１３は、プリンタ１００、３００の制御装置６０、２６０によって作成されてもよい。
【０１１４】
なお、上述した各実施形態で示されたジョブタイプ以外のジョブがジョブタイプとして設定されていてもよい。例えば、ジョブタイプとして、切断印刷ジョブが設定されてもよい。すなわち、ジョブタイプコマンドＣＭ１１として、切断印刷ジョブが設定されたジョブタイプコマンドＣＭ１１が存在してもよい。切断印刷ジョブとは、記録媒体５に対して切断を行い、切断が行われた記録媒体５に対して印刷を行うジョブである。例えば、印刷が行われた記録媒体５には、インクが吐出されており、そのインクに起因して、記録媒体５が伸縮することがあり得る。ここで、切断印刷ジョブを実行することで、印刷前に記録媒体５を切断することができる。よって、インクに起因した記録媒体５の伸縮を最小限に抑えた状態で、記録媒体５を切断することができる。また、切断印刷ジョブでは、切断時に、プラテン１６の下方に配置されたヒータ１９ａ、１９ｂ、１９ｃ（図２参照）が動作している状態である。よって、印刷時に、動作している状態のヒータ１９ａ、１９ｂ、１９ｃを使用するため、ヒータ１９ａ、１９ｂ、１９ｃが所定の温度に達するまで待機する待機時間を短くすることができる。したがって、印刷のスループットを向上させることができる。なお、例えば、切断印刷ジョブの切断時には、上記乾燥制御は行われず、先送り量を切断長さにして、上記先送り制御が行われる。また、切断印刷ジョブの切断時には、上記初期制御が行われる。例えば、切断印刷ジョブの印刷時には、上記乾燥制御、および、上記先送り制御は行なわれない。また、切断印刷ジョブの印刷時には、上記巻き取り制御ありの印刷が行われる。
【０１１５】
また、ジョブタイプとして、印刷切断＆ミシン目切断ジョブが設定されてもよい。すなわち、ジョブタイプコマンドＣＭ１１として、印刷切断＆ミシン目切断ジョブが設定されたジョブタイプコマンドＣＭ１１が存在してもよい。印刷切断＆ミシン目切断ジョブとは、印刷および切断された記録媒体５に対して、ミシン目の切断を自動で行うことである。このミシン目切断とは、上述した「切断」とは異なり、点線状に切断されたものであり、例えば、記録媒体５の印刷領域を囲むようにして、ミシン目が描かれる。従来では、このようなミシン目は、ユーザが事前に設定することで実現されていた。しかしながら、ここでは、印刷切断＆ミシン目切断ジョブが設定されたジョブタイプコマンドＣＭ１１を実行することで、プリンタは、ユーザが事前に設定することなく、印刷および切断が行われた記録媒体５に対して、ミシン目を自動で描くことができる。なお、印刷切断＆ミシン目切断ジョブのミシン目切断時には、上記乾燥制御、および、上記先送り制御は行われない。
【符号の説明】
【０１１６】
５  記録媒体
１０  印刷システム
１６  プラテン（載置台）
３１  ヘッド移動機構
３２  媒体移動機構
３６  インクヘッド
６０  制御装置
６１  記憶部
６３  印刷制御部
６４  第１カッティング制御部（第１制御部）
６５  第２カッティング制御部（第２制御部）
６７  コマンド実行部
１００  プリンタ
１５０  ジョブデータ作成装置
【図１】
2019198497.tif 000003
【図２】
2019198497.tif 000004
【図３】
2019198497.tif 000005
【図４】
2019198497.tif 000006
【図５】
2019198497.tif 000007
【図６】
2019198497.tif 000008
【図７】
2019198497.tif 000009
【図８】
2019198497.tif 000010
【図９】
2019198497.tif 000011
【図１０】
2019198497.tif 000012
【図１１】
2019198497.tif 000013
【国際調査報告】
2019198497.tif 000014
2019198497.tif 000015
2019198497.tif 000016
2019198497.tif 000017